(57)【特許請求の範囲】
【請求項１】
遊技店に設置された撮像装置により撮像された複数の画像から、遊技者の顔が含まれる画像を抽出する第１顔画像抽出部と、
前記第１顔画像抽出部により抽出された画像に含まれる顔の向きが画像の法線方向を含む予め定められた角度の範囲内にある画像を抽出する第２顔画像抽出部と、
前記第２顔画像抽出部により抽出された画像に含まれる顔の画像を、遊技者データベースに格納されている遊技者の顔の画像と照合する照合部と
を備え、
前記第１顔画像抽出部は、
前記撮像装置により撮像された複数の画像から、顔に相当するオブジェクトの顔らしさを示す顔信頼度を導出する顔信頼度導出部と、
前記顔信頼度導出部により導出された前記顔信頼度が予め定められた基準顔信頼度より大きいか否かを判定する顔信頼度判定部と、
前記顔信頼度判定部により前記顔信頼度が前記基準顔信頼度より大きいと判定された前記オブジェクトから、顔の特徴を示す器官の器官らしさを示す器官信頼度を導出する器官信頼度導出部と、
前記器官信頼度導出部により導出された前記器官信頼度が予め定められた基準器官信頼度より大きいか否かを判定する器官信頼度判定部と
を備え、
前記第１顔画像抽出部は、前記撮像装置により撮像された複数の画像から、前記器官信頼度判定部により前記器官信頼度が前記基準器官信頼度より大きいと判定されたオブジェクトを含む画像を、遊技者の顔が含まれる画像として抽出し、
前記第２顔画像抽出部は、前記第１顔画像抽出部により抽出された画像に含まれる顔の向きが、画像の法線方向を基準として画像の左右方向に予め定められた第１角度の範囲内にあり、かつ画像の上下方向に予め定められた第２角度の範囲内にあり、画像の法線方向の軸を中心とした顔の回転角度が予め定められた第３角度の範囲内にある画像を抽出する、顔照合システム。
【請求項２】
前記撮像装置は、前記遊技店に配置された台間機に設置されている、請求項１に記載の顔照合システム。
【請求項３】
請求項１または２に記載の顔照合システムを備える遊技者管理システムであって、
前記撮像装置、前記第１顔画像抽出部、および前記第２顔画像抽出部を有する台間機と、
前記照合部、および前記遊技者データベースを有する顔照合装置と
を備える遊技者管理システム。
【請求項４】
前記台間機は、
前記撮像装置により撮像された複数の画像のうち、前記第２顔画像抽出部により抽出された画像を送信し、前記第２顔画像抽出部により抽出されていない画像を送信しない送信部
をさらに有する、請求項３に記載の遊技者管理システム。
【請求項５】
請求項３または４に記載の遊技者管理システムと、
パチンコ機と、
スロットマシンと
を備え、
複数の前記台間機のうちの第１台間機は、前記パチンコ機の右側に設けられ、
前記複数の台間機のうちの第２台間機は、前記スロットマシンの左側に設けられる、遊技システム。
【発明の詳細な説明】
【技術分野】
【０００１】
本発明は、顔照合システム、遊技者管理システムおよび遊技システムに関する。
【背景技術】
【０００２】
撮像装置により撮像された遊技者の顔の画像を利用して、各遊技者の遊技動向または趣向などを分析する顧客分析システムおよび不審者などの特定の人物を監視する監視システムが知られている。
特許文献１  特開２０１１−１３９８７２号公報
特許文献２  特開２０１２−１４５６８号公報
【発明の概要】
【発明が解決しようとする課題】
【０００３】
上記のようなシステムにおいて、以前に撮像された遊技者の顔の画像と、今回撮像された遊技者の顔の画像とを比較して同一人物か否かを照合する場合がある。ところが、顔は、一般的に左右対称ではなく、左右非対称なので、遊技者の右前方から撮像された顔の画像と、左前方から撮像された顔の画像との類似性が高くなく、同一人物でもあるにもかかわらず異なる人物であると判定される場合がある。
【課題を解決するための手段】
【０００４】
本発明の一態様に係る顔照合システムは、遊技店に設置された撮像装置により撮像された複数の画像から、遊技者の顔が含まれる画像を抽出する第１顔画像抽出部と、上記第１顔画像抽出部により抽出された画像に含まれる顔の向きが画像の法線方向を含む予め定められた角度の範囲内にある画像を抽出する第２顔画像抽出部と、上記第２顔画像抽出部により抽出された画像に含まれる顔の画像を、遊技者データベースに格納されている遊技者の顔の画像と照合する照合部とを備える。
【０００５】
上記照合システムにおいて、上記撮像装置は、上記遊技店に配置された台間機に設置されていてよい。
【０００６】
上記照合システムにおいて、上記第１顔画像抽出部は、上記撮像装置により撮像された複数の画像から、顔に相当するオブジェクトの顔らしさを示す顔信頼度を導出する顔信頼度導出部と、上記顔信頼度導出部により導出された上記顔信頼度が予め定められた基準顔信頼度より大きいか否かを判定する顔信頼度判定部と、上記顔信頼度判定部により上記顔信頼度が上記基準顔信頼度より大きいと判定された上記オブジェクトから、顔の特徴を示す器官の器官らしさを示す器官信頼度を導出する器官信頼度導出部と、上記器官信頼度導出部により導出された上記器官信頼度が予め定められた基準器官信頼度より大きいか否かを判定する器官信頼度判定部とを備え、上記第１顔画像抽出部は、上記撮像装置により撮像された複数の画像から、上記器官信頼度判定部により上記器官信頼度が上記基準器官信頼度より大きいと判定されたオブジェクトを含む画像を、遊技者の顔が含まれる画像として抽出してよい。
【０００７】
上記顔照合システムにおいて、上記第２顔画像抽出部は、上記第１顔画像抽出部により抽出された画像に含まれる顔の向きが、画像の法線方向を基準として画像の左右方向に予め定められた第１角度の範囲内にある画像を抽出してよい。
【０００８】
上記顔照合システムにおいて、上記第２顔画像抽出部は、上記第１顔画像抽出部により抽出された画像に含まれる顔の向きが、画像の法線方向を基準として上記第１角度の範囲内にあり、かつ画像の上下方向に予め定められた第２角度の範囲内にある画像を抽出してよい。
【０００９】
上記顔照合システムにおいて、上記第２顔画像抽出部は、上記第１顔画像抽出部により抽出された画像に含まれる顔の向きが、画像の法線方向を基準として上記第１角度の範囲内にあり、かつ上記第２角度の範囲内にあり、画像の法線方向の軸を中心とした顔の回転角度が予め定められた第３角度の範囲内にある画像を抽出してよい。
【００１０】
本発明の一態様に係る遊技者管理システムは、上記顔照合システムを備える遊技者管理システムであって、上記撮像装置、上記第１顔画像抽出部、および上記第２顔画像抽出部を有する台間機と、上記照合部、および上記遊技者データベースを有する顔照合装置とを備える。
【００１１】
上記遊技者管理システムにおいて、上記台間機は、上記撮像装置により撮像された複数の画像のうち、上記第２顔画像抽出部により抽出された画像を送信し、上記第２顔画像抽出部により抽出されていない画像を送信しない送信部をさらに有してよい。
【００１２】
本発明の一態様に係る遊技システムは、上記遊技者管理システムと、パチンコ機と、スロットマシンとを備え、複数の上記台間機のうちの第１台間機は、上記パチンコ機の右側に設けられ、上記複数の台間機のうちの第２台間機は、上記スロットマシンの左側に設けられる。
【００１３】
なお、上記の発明の概要は、本発明の特徴の全てを列挙したものではない。また、これらの特徴群のサブコンビネーションもまた、発明となりうる。
【図面の簡単な説明】
【００１４】
【図１】本実施形態に係る遊技システムの全体構成の一例を示すシステム構成図である。
【図２】本実施形態に係る画像処理ユニットのより詳細な機能ブロックを示す機能ブロック図である。
【図３】本実施形態に係る顔情報抽出部のより詳細な機能ブロックを示す機能ブロック図である。
【図４】パチンコ機を遊技する遊技者の顔の向きについて説明するための図である。
【図５】スロットマシンを遊戯する遊技者の顔の向きについて説明するための図である。
【図６】パチンコ機を遊技する遊技者の顔の画像を含む画像のうち顔の照合に用いられる画像について説明するための図である。
【図７】スロットマシンを遊技する遊技者の顔の画像を含む画像のうち顔の照合に用いられる画像について説明するための図である。
【図８】本実施形態に係る生体情報認識装置のより詳細な機能ブロックを示す機能ブロック図である。
【図９】本実施形態に係る表示装置のより詳細な機能ブロックを含む機能ブロック図である。
【図１０】画像処理ユニットにより実行される照合画像識別処理の手順の一例を示すフローチャートである。
【図１１】生体情報認識装置の照合部により実行される遊技者の顔画像登録処理の手順の一例を示すフローチャートである。
【図１２】生体情報認識装置による検索処理、および表示装置による検索結果の表示処理の手順の一例を示すフローチャートである。
【図１３】生体情報データベースに登録された登録遊技者の一覧情報の一例を示す図である。
【図１４】生体情報データベースに登録された登録遊技者毎にまとめた顔情報の一覧情報の一例を示す図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、本実施形態に遊技システム１０００の全体構成の一例を示すシステム構成図である。遊技システム１０００は、遊技店に設置される。遊技システム１０００は、台間機１０および５０、パチンコ機２０、スロットマシン６０、計数機７０、精算機８０、生体情報認識装置２００、生体情報データベース２３０、遊技店管理装置３００、遊技台管理データベース３３０、媒体貸出管理装置４００、媒体貸出管理データベース４３０、および表示装置２５０、３５０、および４５０を備える。
【００１７】
遊技システム１０００は、遊技者が遊技する遊技台を管理する。例えば、遊技システム１０００は、遊技者に貸し出された遊技媒体の情報を管理する。遊技システム１０００は、例えば、遊技者の来店状況、遊技台の稼動状況などを収集し、遊技者の動向を分析する。遊技システム１０００は、遊技者の不正行為などを監視してよい。
【００１８】
パチンコ機２０およびスロットマシン６０は、遊技者が遊技する遊技台の一例である。計数機７０は、遊技者がパチンコ機２０またはスロットマシン６０を遊技することにより獲得した遊技媒体の数を計数し、計数結果を磁気カード、レシートなどに示して出力する。精算機８０は、例えば、遊技媒体を借りるための点数を記録したプリペイドカードを販売する。精算機８０は、販売したプリペイドカードの点数の情報と払い受けた金額の情報とを媒体貸出管理装置４００に供給する。また、精算機８０は、度数として貸し出した遊技媒体の残数の情報に基づいて現金を精算して払い出す。精算機８０は、プリペイドカードの残度数の情報と払い戻した現金の金額の情報とを媒体貸出管理装置４００に供給する。
【００１９】
台間機１０は、パチンコ機２０用の台間機であり、台間機５０は、スロットマシン６０用の台間機である。台間機１０および５０は、遊技者が遊技台で遊技する場合に、プリペイドカードなどの記録媒体、または現金などにより遊技者が指定した点数、金額などを受け付け、受け付けた点数、金額などに応じた数量の遊技媒体を貸し出す。台間機１０および５０は、貸し出した遊技媒体の数量の情報を媒体貸出管理装置４００に供給する。媒体貸出管理装置４００は、受け付けた現金またはプリペイドカードの残数などの情報と共に、貸し出した遊技媒体の数量の情報を管理する。
【００２０】
台間機１０および５０は、撮像装置３０および画像処理ユニット１００を備える。撮像装置３０は、パチンコ機２０またはスロットマシン６０側からパチンコ機２０またはスロットマシン６０を使用している遊技者の顔を含む画像を撮像する。画像処理ユニット１００は、撮像装置３０により撮像された複数の画像から遊技者の顔を含む画像を抽出する。画像処理ユニット１００は、抽出された画像に含まれる顔を示すオブジェクトを画像分析して、オブジェクトの顔らしさを示す顔信頼度などを導出し、顔信頼度が高いオブジェクトを含む画像を生体情報認識装置２００に供給する。
【００２１】
なお、本実施形態では、遊技者の顔を撮像するための撮像装置３０を台間機１０および５０に設置する例について説明する。しかし、撮像装置３０は、遊技店に設置され、遊技者の顔を撮像できる場所であれば任意の場所に設置できる。撮像装置３０は、計数機７０および精算機８０の付近、遊技店の出入口付近に設置されてよい。
【００２２】
生体情報データベース２３０は、遊技店に来店した遊技者の属性情報を格納する。生体情報認識装置２００は、遊技店に来店した遊技者の属性情報を生体情報データベース２３０に登録し、管理する。なお、生体情報データベース２３０は、遊技者データベースの一例である。
【００２３】
遊技店管理装置３００は、いわゆるホールコンピュータであり、パチンコ機２０およびスロットマシン６０の動作を監視する。遊技店管理装置３００は、パチンコ機２０およびスロットマシン６０の出玉またはメダルの払い出しの情報、パチンコ機２０およびスロットマシン６０のエラー情報などを管理する。
【００２４】
表示装置２５０、３５０、および４５０は、遊技店の店員により利用される。表示装置２５０は、生体情報認識装置２００で管理されている情報を表示する。表示装置３５０は、遊技店管理装置３００に管理されている情報を表示する。表示装置４５０は、媒体貸出管理装置４００に管理されている情報を表示する。
【００２５】
上記のように構成された遊技システム１０００において、生体情報認識装置２００は、パチンコ機２０用の台間機１０およびスロットマシン６０用の台間機５０のそれぞれに設置された撮像装置３０により撮像された画像に含まれる遊技者の顔の画像と、生体情報データベース２３０に格納されている複数の遊技者の顔の画像とを照合し、遊技者の個人認証を行う。
【００２６】
ところで、パチンコ機２０用の台間機１０は、通常、パチンコ機２０の右側（遊技者側から見て左側）に設置される。一方、スロットマシン６０用の台間機５０は、通常、スロットマシン６０の左側（遊技者側から見て右側）に設置される。したがって、パチンコ機２０用の台間機１０に設置された撮像装置３０は、遊技者の左側から遊技者の顔を撮像する。一方、スロットマシン６０用の台間機５０に設置された撮像装置３０は、遊技者の右側から遊技者の顔を撮像する。
【００２７】
ここで、顔は、一般的に左右対称ではなく、左右非対称なので、遊技者の右前方から撮像された顔の画像と、左前方から撮像された顔の画像との類似性が低くなることがある。したがって、パチンコ機２０およびスロットマシン６０の両方を遊戯する遊技者の顔が、パチンコ機２０用の台間機１０に設置された撮像装置３０およびスロットマシン６０用の台間機５０に設置された撮像装置３０のそれぞれで撮像された場合、それぞれの顔の画像が、同一人物でもあるにもかかわらず異なる人物の顔であると照合される場合がある。このように、照合結果として同一人物として判断されずに、別人として照合されることで、例えば、遊技者の動向を分析する顧客分析の精度が低下する可能性がある。そこで、本実施形態に係る遊技システム１０００によれば、撮像装置３０の設置場所の違いにより、遊技者の顔の照合の精度が低下することを防止する。
【００２８】
図２は、画像処理ユニット１００のより詳細な機能ブロックを示す機能ブロック図である。画像処理ユニット１００は、画像取得部１１０、顔情報抽出部１２０、および送信部１６０を備える。
【００２９】
画像取得部１１０は、撮像装置３０により撮像された画像を順次取得する。顔情報抽出部１２０は、画像取得部１１０により取得された画像に遊技者の顔が含まれるか否かを検知して、顔が含まれる場合には、その画像、およびその画像に含まれる顔に関する情報を送信部１６０に提供する。送信部１６０は、その画像、およびその画像に含まれる顔に関する情報、撮像装置３０の設置場所に対応する情報、例えば、パチンコ機２０またはスロットマシン６０の台番号情報を生体情報認識装置２００に送信する。
【００３０】
図３は、顔情報抽出部１２０のより詳細な機能ブロックを示す機能ブロック図である。顔情報抽出部１２０は、第１顔画像抽出部１３０、第２顔画像抽出部１４０、および抽出条件設定部１５０を備える。
【００３１】
第１顔画像抽出部１３０は、台間機１０または５０に設置された撮像装置３０により撮像された複数の画像から、遊技者の顔が含まれる画像を抽出する。第２顔画像抽出部１４０は、第１顔画像抽出部１３０により抽出された画像に含まれる顔の向きが画像の法線方向を含む予め定められた角度の範囲内にある画像を抽出する。抽出条件設定部１５０は、第１顔画像抽出部１３０および第２顔画像抽出部１４０が顔画像を抽出するための抽出条件を設定する。
【００３２】
第１顔画像抽出部１３０は、顔信頼度導出部１３２、顔信頼度判定部１３４、器官信頼度導出部１３６、および器官信頼度判定部１３８を有する。顔信頼度導出部１３２は、撮像装置３０により撮像された複数の画像から、顔に相当するオブジェクトの顔らしさを示す顔信頼度を導出する。顔信頼度は、画像から遊技者の顔の有無を判断できる情報であればよく、画像の画素値の情報、または画像に含まれる顔の目、鼻、口の間隔または大きさ、肌の色、髪型などの外見的特徴を数値で示した情報などでよい。画像に含まれるオブジェクトの顔信頼度が高いほど、そのオブジェクトが顔である可能性が高いことを示す。
【００３３】
顔信頼度判定部１３４は、顔信頼度導出部１３２により導出された顔信頼度が予め定められた基準顔信頼度より大きいか否かを判定する。顔信頼度判定部１３４は、判定対象のオブジェクトの顔信頼度が予め定められた基準顔信頼度より大きい場合、画像に含まれるそのオブジェクトが顔であると判定する。
【００３４】
器官信頼度導出部１３６は、顔信頼度判定部１３４により顔信頼度が基準顔信頼度より大きいと判定されたオブジェクトから、顔の特徴を示す器官の器官らしさを示す器官信頼度を導出する。器官信頼度導出部１３６は、画像内のオブジェクトから、顔を構成する器官（例えば、目、耳、鼻、口、額、顎、輪郭）を抽出し、抽出された器官の位置情報を導出する。そして、器官信頼度導出部１３６は、抽出された器官と、抽出された器官の位置情報とに基づいて、オブジェクトの器官信頼度を導出する。
【００３５】
ここで、器官信頼度は、顔を含む画像毎の照合処理に適する度合いを示すものである。したがって、器官信頼度が高い画像ほど、照合に適した画像である。例えば、器官信頼度は、器官のうち、目、耳、鼻、口、額、顎、輪郭などの有無により、器官毎に点数を設定した合計となる数値でよい。また、器官信頼度は、左右の目または耳と、鼻または口との距離の比率、あるいは、額および鼻の距離と、顎および鼻の距離との比率などに基づいて導出される数値でよい。
【００３６】
器官信頼度判定部１３８は、器官信頼度導出部１３６により導出された器官信頼度が予め定められた基準器官信頼度より大きいか否かを判定する。器官信頼度判定部１３８は、器官信頼度が予め定められた基準器官信頼度より大きい場合、画像に含まれるオブジェクトが顔による照合に適していると判断する。第１顔画像抽出部１３０は、撮像装置３０により撮像された複数の画像から、器官信頼度判定部１３８により器官信頼度が基準器官信頼度より大きいと判定されたオブジェクトを含む画像を、遊技者の顔が含まれる画像として抽出する。
【００３７】
器官信頼度判定部１３８により照合に適していると判断した画像を利用することで、ある程度の精度で顔の照合を実現できる。しかし、上記の通り、顔は左右非対称なので、遊技者の顔の右側から撮像された画像の顔と、左側から撮像された画像の顔とを照合すると、それぞれの画像の顔は同一人物の顔にもかからわず、異なる人物の顔と判断されてしまう場合がある。
【００３８】
そこで、本実施形態では、照合に適しているか否かの判断に、上記の顔信頼度および器官信頼度の他に、顔の向きを利用する。第２顔画像抽出部１４０は、画像に含まれるオブジェクトが、顔の正面から撮像された顔を示す場合、その画像を照合に適した画像であると判断する。これにより、同一人物の顔にもかからわず、異なる人物の顔と判断されることを防止する。
【００３９】
第２顔画像抽出部１４０は、顔向き情報導出部１４２および顔向き情報判定部１４４を有する。顔向き情報導出部１４２は、画像の法線方向を基準とする画像の顔の向きを導出する。
【００４０】
顔向き情報導出部１４２は、画像の法線方向を基準として、画像の左右方向（すなわち横方向、または水平方向）における角度を顔の向きの指標として導出する。顔向き情報導出部１４２は、さらに、画像の法線方向を基準として、画像の上下方向（すなわち縦方向、または垂直方向）における角度を顔の向きの指標として導出する。加えて、顔向き情報導出部１４２は、画像の法線方向の軸を中心とした顔の回転角度を導出する。顔向き情報導出部１４２は、顔の中心線と画像の上下方向の線（垂直線）とのなす角度を顔の回転角度として導出する。
【００４１】
顔向き情報判定部１４４は、顔向き情報導出部１４２により導出された顔の向きが、画像の法線方向を含む予め定められた角度の範囲内にある画像を照合に適した画像と判定する。画像の法線方向を含む予め定められた角度の範囲は、画像に含まれる顔の画像を利用して照合部２１０が顔の照合を行う場合に同一人物であるにもかからず別の人物として照合される可能性が低い角度の範囲でよい。予め定められた角度の範囲は、例えば、照合部２１０の照合性能に応じて、定められてよい。画像の法線方向を含む予め定められた角度の範囲が、顔の向きが撮像装置３０（の撮像面）に対して真正面以外の方向である場合も含む。画像の法線方向を含む予め定められた角度の範囲は、顔の向きが撮像装置３０（の撮像面）に対して真正面の向きを含むある程度幅のある角度の範囲である。
【００４２】
顔向き情報判定部１４４は、第１顔画像抽出部１３０により抽出された画像に含まれる顔の向きが、画像の法線方向を基準として画像の左右方向に予め定められた第１角度の範囲内にある画像を照合に適した画像と判定してよい。顔向き情報判定部１４４は、第１顔画像抽出部１３０により抽出された画像に含まれる顔の向きが、画像の法線方向を基準として第１角度の範囲内にあり、かつ画像の上下方向に予め定められた第２角度の範囲内にある画像を照合に適した画像と判定してよい。顔向き情報判定部１４４は、第１顔画像抽出部１３０により抽出された画像に含まれる顔の向きが、画像の法線方向を基準として第１角度の範囲内にあり、かつ第２角度の範囲内にあり、画像の法線方向の軸を中心とした顔の回転角度が予め定められた第３角度の範囲内にある画像を照合に適した画像と判定してよい。
【００４３】
抽出条件設定部１５０は、抽出条件として、基準顔信頼度、基準器官信頼度、第１角度の範囲、第２角度の範囲、および第３角度の範囲を店員などのユーザの指示に応じて設定する。
【００４４】
第２顔画像抽出部１４０は、顔の向きが予め定められた角の範囲にある画像を抽出して、その画像、およびその画像に含まれる顔の情報を送信部１６０に提供する。送信部１６０は、第２顔画像抽出部１４０から提供された画像、および顔の情報を、顔の照合に適した顔の画像を含む情報として生体情報認識装置２００に送信する。送信部１６０は、撮像装置３０により撮像された複数の画像のうち、第２顔画像抽出部１４０により抽出された画像を送信し、第２顔画像抽出部１４０により抽出されていない画像を送信しない。送信部１６０は、第１顔画像抽出部１３０により顔信頼度および器官信頼度を基準として照合に適していると判断された画像でも、顔の方向を基準として第２顔画像抽出部１４０により顔の照合に適していないと判断された画像については、生体情報認識装置２００に送信しない。
【００４５】
パチンコ機２０用の台間機１０に設けられた撮像装置３０に対応する第２顔画像抽出部１４０は、例えば、図４に示すように、画像の法線方向、すなわち撮像装置３０の撮像面の法線方向３２を基準とした画像の左右方向の角度が予め定められた第１角の範囲（−θ〜＋θ：例えば、−１０度〜＋１０度）に、遊技者９０の顔の向きが含まれる場合、その画像を顔の照合に適した画像として抽出する。また、スロットマシン６０用の台間機５０に設けられた撮像装置３０に対応する第２顔画像抽出部１４０は、例えば、図５に示すように、画像の法線方向、すなわち撮像装置３０の撮像面の法線方向３２を基準とした画像の左右方向の角度が予め定められた第１角度の範囲（−θ〜＋θ：例えば、−１０度〜＋１０度）に、遊技者９０の顔の向きが含まれる場合、その画像を顔の照合に適した画像として抽出する。
【００４６】
パチンコ機２０用の台間機１０に設けられた撮像装置３０に対応する第２顔画像抽出部１４０は、例えば、図６に示すように、撮像装置３０により撮像された遊技者の顔を含む複数の画像の中から、点線５００で囲まれた、画像内で正面を向く遊技者の顔を含む画像を、顔の照合に適した画像として抽出する。また、スロットマシン６０用の台間機５０に設けられた撮像装置３０に対応する第２顔画像抽出部１４０は、例えば、図７に示すように、撮像装置３０により撮像された遊技者の顔を含む複数の画像の中から、点線６００で囲まれた、画像内で正面を向く遊技者の顔を含む画像を、顔の照合に適した画像として抽出する。
【００４７】
本実施形態に係る顔情報抽出部１２０によれば、遊技台で遊技中の遊技者に対して、撮像装置３０が右側に設置されている場合でも、左側に設置されている場合でも、照合に適した画像として、画像内で正面を向く遊技者の顔を含む画像が抽出される。遊技者に対して右側に設置された撮像装置３０により撮像された画像と、同一の遊技者に対して左側に設置された撮像装置３０により撮像された画像とを照合した場合でも、その遊技者が別人として照合されず、同一人物として照合される可能性を大幅に向上させることができる。よって、それらの画像に基づいて、例えば、遊技者の動向を分析する顧客分析の精度を向上させることができる。
【００４８】
図８は、生体情報認識装置２００のより詳細な機能ブロックを示す機能ブロック図である。
【００４９】
生体情報認識装置２００は、照合部２１０、操作部２２０、および検索部２２２を備える。照合部２１０は、第２顔画像抽出部１４０により抽出された画像に含まれる顔の画像を、生体情報データベース２３０に格納されている遊技者の顔の画像と照合する。操作部２２０は、遊技者の顔の画像に基づいて特定の情報を検索して表示する場合の表示条件を店員などのユーザから受け付ける。検索部２２２は、操作部２２０により受け付けられた表示条件に基づいて、生体情報データベース２３０を検索して、表示条件にあった遊技者の顔の画像、その遊技者が遊技したパチンコ機２０またはスロットマシン６０などの遊技台の台番号、その遊技者の遊技開始時間および遊技終了時間などを検索結果として取得して、表示装置２５０に提供する。表示装置２５０は、検索部２２２による検索結果を表示する。
【００５０】
照合部２１０は、顔情報取得部２１１、特徴量抽出部２１２、類似度導出部２１３、類似度判定部２１４、類似度判定部２１４、およびデータベース登録部２１５を有する。顔情報取得部２１１は、画像処理ユニット１００から遊技者の顔の画像を含む顔情報を取得する。顔情報取得部２１１は、遊技者の顔の画像の他に、その遊技者が遊技中の遊技台の台番号、その画像が撮像された時刻情報などを画像処理ユニット１００から取得してよい。
【００５１】
特徴量抽出部２１２は、画像に含まれる顔の情報から、画像に含まれる顔の特徴量を抽出する。特徴量は、人物などの対象物を識別可能な情報であればよく、画像の画素値の情報、または画像に含まれる顔の目、鼻、口の間隔または大きさ、肌の色、髪型などの外見的特徴を数値で示した情報などでよい。特徴量は、顔信頼度導出部１３２により導出された顔信頼度でよい。
【００５２】
類似度導出部２１３は、特徴量抽出部２１２により抽出された顔の特徴量と、生体情報データベース２３０に格納されている各登録画像に含まれる各顔の特徴量との類似度を導出する。類似度判定部２１４は、導出された類似度が基準値以上あり、最も類似度が高い登録画像であるかどうかを判定する。データベース登録部２１５は、導出された類似度が基準値以上あり、類似度が最も高い登録画像を、画像処理ユニット１００により提供された今回の画像に含まれる顔の画像を用いて更新する。類似度判定部２１４により、類似度が基準値以上あり、類似度が最も高いと判定された登録画像が存在する場合、データベース登録部２１５は、今回の顔の画像を既存の登録遊技者の顔の画像として生体情報データベース２３０に登録する。一方、類似度判定部２１４により、類似度が基準値以上あり、類似度が最も高いと判定された登録画像が存在しない場合、今回の顔の画像を新規の未登録遊技者の顔の画像として生体情報データベース２３０に登録する。
【００５３】
図９は、表示装置２５０のより詳細な機能ブロックを含む機能ブロック図である。表示装置２５０は、通信部２５２、画像処理部２５４、および表示部２５６を有する。通信部２５２は、検索部２２２により検索された検索結果を受信する。画像処理部２５４は、表示フォーマットに従って検索結果に応じた表示用の画像データを作成する。表示部２５６は、作成された画像データを表示する。
【００５４】
図１０は、画像処理ユニット１００により実行される照合画像識別処理の手順の一例を示すフローチャートである。
【００５５】
画像取得部１１０が撮像装置３０から画像を取得する（Ｓ１００）。顔信頼度導出部１３２は、取得された画像より、画像の画素値の情報、または画像に含まれる顔の目、鼻、口の間隔または大きさ、肌の色、髪型などの外見的特徴を数値で示した情報である顔信頼度を導出する（Ｓ１０２）。顔信頼度判定部１３４は、導出された顔信頼度が、抽出条件設定部１５０により設定された基準顔信頼度より大きいか否かを判定する（Ｓ１０４）。
【００５６】
顔信頼度判定部１３４が、導出された顔信頼度が基準顔信頼度より小さいと判定した場合には、画像取得部１１０により今回取得された画像には遊技者の顔は含まれていなかったと判断され、画像取得部１１０が、撮像装置３０から次の画像を取得する。
【００５７】
一方、顔信頼度判定部１３４が、導出された顔信頼度が基準顔信頼度より大きいと判定した場合、器官信頼度導出部１３６は、取得された画像より、左右の目または耳と、鼻または口との距離の比率、あるいは、額および鼻の距離と、顎および鼻の距離との比率などに基づいて導出される数値である器官信頼度を導出する（Ｓ１０６）。器官信頼度判定部１３８は、器官信頼度導出部１３６により導出された器官信頼度が、抽出条件設定部１５０により設定された基準器官信頼度より大きいか否かを判定する（Ｓ１０８）。
【００５８】
器官信頼度判定部１３８が、導出された器官信頼度が基準器官信頼度より小さいと判定した場合、画像取得部１１０により今回取得された画像には照合に適した顔の画像は含まれていなかったと判断され、画像取得部１１０が、撮像装置３０から次の画像を取得する。
【００５９】
一方、器官信頼度判定部１３８が、導出された器官信頼度が基準器官信頼度より大きいと判定した場合、顔向き情報導出部１４２は、取得された画像より顔の向きを導出する（Ｓ１１０）。顔向き情報導出部１４２は、画像の法線方向を基準として、画像の左右方向における角度、画像の法線方向を基準として、画像の上下方向における角度、および画像の法線方向の軸を中心とした顔の回転角度を顔の向きの指標として導出する。
【００６０】
顔向き情報判定部１４４は、画像の左右方向における顔の向きを示す角度が、抽出条件設定部１５０により設定された第１角度の範囲か否かを判定する（Ｓ１２２）。さらに、顔向き情報判定部１４４は、画像の上下方向における顔の向きを示す角度が、抽出条件設定部１５０により設定された第２角度の範囲か否かを判定する（Ｓ１２４）。加えて、顔向き情報判定部１４４は、画像の法線方向の軸を中心する顔の回転角度が、第３角度の範囲か否かを判定する（Ｓ１２６）。
【００６１】
ステップＳ１２２〜ステップＳ１２６での判定結果、全ての角度が基準の角度の範囲に含まれる場合には、今回撮像装置３０により撮像された画像に含まれる顔の画像が照合に適した画像であると判断されて、送信部１６０がその画像、その画像の顔の情報、その画像が撮像装置３０により撮像された時刻、その画像を撮像した撮像装置３０が設けられている遊技台の台番号などを生体情報認識装置２００に送信する（Ｓ１１８）。
【００６２】
一方、ステップＳ１２２〜ステップＳ１２６での判定結果、いずれかの角度が基準の角度の範囲に含まれない場合には、今回撮像装置３０により撮像された画像に含まれる顔の画像は、照合には適さない画像と判断され、画像取得部１１０が、撮像装置３０から次の画像を取得する。
【００６３】
以上の処理手順により、顔情報抽出部１２０は、撮像装置３０により撮像された画像の中から、遊技者の正面の顔を含む画像を照合用の画像として抽出する。
【００６４】
図１１は、生体情報認識装置２００の照合部２１０により実行される遊技者の顔画像登録処理の手順の一例を示すフローチャートである。
【００６５】
顔情報取得部２１１は、画像処理ユニット１００により提供された遊技者の顔の画像である顔画像を取得する（Ｓ２００）。類似度導出部２１３は、生体情報データベース２３０から登録遊技者の顔画像を１つ抽出する（Ｓ２０２）。特徴量抽出部２１２は、顔情報取得部２１１が顔画像と共に取得した顔の情報から特徴量を抽出する（Ｓ２０４）。類似度導出部２１３は、取得した顔画像と、抽出された登録遊技者の顔画像との類似度を導出する（Ｓ２０６）。
【００６６】
類似度導出部２１３は、生体情報データベース２３０に登録された登録遊技者の全顔画像について類似度の導出が済んだか否かを判定する（Ｓ２０８）。済んでいなければ、類似度導出部２１３は、生体情報データベース２３０から他の登録遊技者の顔画像を１つ抽出する。
【００６７】
登録遊技者の全顔画像について類似度の導出が済んでいれば、類似度判定部２１４は、最も高い類似度が、予め定められた閾値より大きいか否かを判定する。類似度が閾値以上であれば、データベース登録部２１５は、その類似度を有する登録遊技者の顔画像を更新する（Ｓ２１２）。一方、最も高い類似度が予め定められた閾値より小さい場合、今回取得した顔画像は、生体情報データベース２３０にはまだ登録されていない新たな遊技者の顔画像であると判断して、データベース登録部２１５は、今回取得した顔画像を未登録遊技者として生体情報データベース２３０に新規登録する（Ｓ２１４）。
【００６８】
以上のように本実施形態によれば、照合部２１０により処理された顔画像は、遊技者の正面の顔を含む顔画像である。したがって、遊技者が、例えば同じ日に、遊技店内の同一フロアーに設置されたパチンコ機２０およびスロットマシン６０をそれぞれ遊技した場合でも、生体情報データベース２３０には、パチンコ機２０を遊技しているときに得られたその遊技者の顔画像と、スロットマシン６０を遊技しているときに得られたその遊技者の顔画像とが、別人としてそれぞれの顔画像が登録されず、同一人物として何れか一方の画像が登録される。
【００６９】
図１２は、生体情報認識装置２００による検索処理、および表示装置２５０による検索結果の表示処理の手順の一例を示すフローチャートである。
【００７０】
操作部２２０が店員などのユーザに指示に応じて、表示条件を検索部２２２に入力する（Ｓ３００）。検索部２２２は、入力された表示条件に基づいて、生体情報データベース２３０より表示に必要な情報を取得する（Ｓ３０２）。例えば、遊技店の営業時間内に生体情報データベース２３０に登録された登録遊技者の一覧を表示するという表示条件であれば、検索部２２２は、生体情報データベース２３０から、図１３に示すようなそれぞれの情報を取得する。また、例えば、遊技店の営業時間内に生体情報データベース２３０に登録された登録遊技者毎にまとめた顔情報の一覧を表示するという表示条件であれば、図１４に示すようなそれぞれの情報を取得する。検索部２２２は、取得した情報を表示装置２５０に通知する（Ｓ３０４）。
【００７１】
通信部２５２は、生体情報認識装置２００の検索部２２２から検索結果の情報を取得する。画像処理部２５４は、取得された情報を、表示部２５６に表示できるフォーマットに変換する（Ｓ４０２）。表示部２５６は、変換された情報を検索結果として表示する（Ｓ４０４）。
【００７２】
以上、本実施形態によれば、撮像装置３０が設置される場所に関わらず、顔の照合に用いられる画像は、撮像装置３０（の撮像面）に対して遊技者が正面を見いているときに撮像装置３０により撮像された画像である。したがって、遊技者が、例えば同じ日に、遊技店内の同一フロアーに設置されたパチンコ機２０およびスロットマシン６０をそれぞれ遊技した場合でも、その遊技者が別人として生体情報データベース２３０に登録されることを防ぐことができる。
【００７３】
なお、本実施形態における、第１顔画像抽出部１３０、第２顔画像抽出部１４０、および照合部２１０が顔照合システムとして機能する。撮像装置３０、第１顔画像抽出部１３０、および第２顔画像抽出部１４０を有する台間機１０および５０と、照合部２１０を有する生体情報認識装置２００と、生体情報データベース２３０とが遊技者管理システムとして機能する。照合部２１０、および生体情報データベース２３０とが顔照合装置として機能する。
【００７４】
また、本実施形態に係る画像処理ユニット１００、生体情報認識装置２００、および表示装置２５０はそれぞれ、遊技者の顔の照合に関する各種処理を行う、コンピュータ読み取り可能な記録媒体に記録されたプログラムをインストールし、このプログラムを各コンピュータに実行させることで、構成してもよい。つまり、各コンピュータに遊技者の顔の照合に関する各種処理を行うプログラムを実行させることにより、画像処理ユニット１００、生体情報認識装置２００、および表示装置２５０が備える各部として各コンピュータを機能させることで、画像処理ユニット１００、生体情報認識装置２００、および表示装置２５０のそれぞれを構成してもよい。
【００７５】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、遊技者の顔の照合に関する各種処理を行う。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７８】
１０  台間機 
２０  パチンコ機 
３０  撮像装置 
５０  台間機 
６０  スロットマシン 
７０  計数機 
８０  精算機 
１００  画像処理ユニット 
１１０  画像取得部
１２０  顔情報抽出部 
１３０  第１顔画像抽出部 
１３２  顔信頼度導出部 
１３４  顔信頼度判定部 
１３６  器官信頼度導出部 
１３８  器官信頼度判定部 
１４０  第２顔画像抽出部 
１４２  顔向き情報導出部 
１４４  顔向き情報判定部 
１５０  抽出条件設定部 
１６０  送信部 
２００  生体情報認識装置 
２１０  照合部 
２１１  顔情報取得部 
２１２  特徴量抽出部 
２１３  類似度導出部 
２１４  類似度判定部 
２１５  データベース登録部 
２２０  操作部 
２２２  検索部 
２３０  生体情報データベース 
２５０  表示装置 
２５２  通信部 
２５４  画像処理部 
２５６  表示部 
３００  遊技店管理装置 
３３０  遊技台管理データベース 
３５０  表示装置 
４００  媒体貸出管理装置 
４３０  媒体貸出管理データベース 
４５０  表示装置 
１０００  遊技システム 
【図１】
0006665569.tif 000002
【図２】
0006665569.tif 000003
【図３】
0006665569.tif 000004
【図４】
0006665569.tif 000005
【図５】
0006665569.tif 000006
【図６】
0006665569.tif 000007
【図７】
0006665569.tif 000008
【図８】
0006665569.tif 000009
【図９】
0006665569.tif 000010
【図１０】
0006665569.tif 000011
【図１１】
0006665569.tif 000012
【図１２】
0006665569.tif 000013
【図１３】
0006665569.tif 000014
【図１４】
0006665569.tif 000015